(57)【要約】【課題】  電磁ノイズの影響を低減し、かつ効率良く各部品を配置することが可能な回路基板を備えた車両用計器を提供する。【解決手段】  回路基板１に接続された液晶表示パネル２による画像表示と回路基板１に実装された駆動源９によって回動する指針８１の指示表示とによって車両情報を表示する車両用計器において、回路基板１は、シールドケース７などを備えた液晶表示用エリア１１と、駆動源９などを備えた指針表示用エリア１２と、を備えてなる。【選択図】  図１
2010210255.tif 000002
【特許請求の範囲】
【請求項１】
回路基板に接続された液晶表示パネルによる画像表示と前記回路基板に実装された駆動源によって回動する指針の指示表示とによって車両情報を表示する車両用計器において、
前記回路基板は、
前記液晶表示パネルと、
前記回路基板に実装され前記液晶表示パネルを照明するバックライトと、
前記回路基板において前記バックライト実装面の裏面に実装されるコネクタと、
前記回路基板を貫通する穴部を介して前記液晶表示パネルと前記コネクタとを接続する可撓性の配線と、
前記コネクタを介して前記液晶表示パネルに接続されるとともに前記液晶表示パネルや前記駆動源を制御するための制御信号を出力する制御手段と、
前記制御手段を覆うシールドケースと、
を設けてなる前記液晶表示用エリアと、
前記制御手段からの制御信号に応じて前記指針を回動するための駆動源を設けてなる指針表示用エリアと、を備えてなることを特徴とする車両用計器。
【請求項２】
前記液晶表示用エリアは、複数の前記指針表示用エリアの間に備えられてなることを特徴とする請求項１に記載の車両用計器。
【発明の詳細な説明】
【技術分野】
【０００１】
本発明は、回路基板に接続された液晶表示パネルによる画像表示と前記回路基板に実装された駆動源によって回動する指針の指示表示とによって車両情報を表示する車両用計器に関する。
【背景技術】
【０００２】
従来、車両用計器として、回路基板に接続された液晶表示パネルによる画像表示と前記回路基板に実装された駆動源によって回動する指針の指示表示とを備えて、車両情報を表示する車両用計器があり、例えば、特許文献１に開示されている。
【先行技術文献】
【特許文献】
【０００３】
【特許文献１】特開２００２−７２１６４号公報
【発明の概要】
【発明が解決しようとする課題】
【０００４】
これらの車両用計器にあっては、液晶表示パネルを制御する制御手段から発する電磁ノイズや前記液晶表示パネルと前記制御手段との間における配線に影響する電磁ノイズなどを考慮して、前記配線を短くしたり、金属シールドを設けるなど対策が必要である。この場合、配線通路や、シールドケースの実装スペースの確保など各電子部品を回路基板上に実装する上での自由度が小さくなってしまうという問題があった。
【０００５】
そこで本発明の目的とするところは、電磁ノイズの影響を低減し、かつ効率良く各部品を配置することが可能な回路基板を備えた車両用計器を提供することにある。
【課題を解決するための手段】
【０００６】
本発明は、回路基板に接続された液晶表示パネルによる画像表示と前記回路基板に実装された駆動源によって回動する指針の指示表示とによって車両情報を表示する車両用計器において、前記回路基板は、前記液晶表示パネルと、前記回路基板に実装され前記液晶表示パネルを照明するバックライトと、前記回路基板において前記バックライト実装面の裏面に実装されるコネクタと、前記回路基板を貫通する穴部を介して前記液晶表示パネルと前記コネクタとを接続する可撓性の配線と、前記コネクタを介して前記液晶表示パネルに接続されるとともに前記液晶表示パネルや前記駆動源を制御するための制御信号を出力する制御手段と、前記制御手段を覆うようにして設けられるシールドケースと、を設けてなる前記液晶表示用エリアと、前記制御手段からの制御信号に応じて前記指針を回動するための駆動源を設けてなる指針表示用エリアと、を備えてなることを特徴とする車両用計器。
【０００７】
また本発明は、前記液晶表示用エリアは、複数の前記指針表示用エリアの間に備えられてなることを特徴とする車両用計器。
【発明の効果】
【０００８】
本発明は、回路基板に接続された液晶表示パネルによる画像表示と前記回路基板に実装された駆動源によって回動する指針の指示表示とによって車両情報を表示する車両用計器に関し、電磁ノイズの影響を低減し、かつ効率良く各部品を配置することが可能な回路基板を備えた車両用計器となる。
【図面の簡単な説明】
【０００９】
【図１】本発明の実施の形態を一部断面にて示す図。
【発明を実施するための形態】
【００１０】
以下、本発明が適用された実施の形態について添付図面を用いて説明する。
【００１１】
図１は、本発明の車両用計器を適用した実施例であり、車両用計器は、回路基板１と、液晶表示パネル２と、バックライト３と、コネクタ４と、配線５と、制御手段６と、シールドケース７と、指針表示部８と、駆動源９とを備えている。
【００１２】
回路基板１は、例えば、電気的に絶縁性のある樹脂を含浸した基板（例えば、ガラスエポキシ基板）上に、所定のパターンからなる銅箔など導電体を構成するものを適用でき、液晶表示用エリア１１と、指針表示用エリア１２と、を備えている。回路基板１の液晶表示用エリア１１は、液晶表示パネル２と、バックライト３と、コネクタ４と、配線５と、制御手段６と、シールドケース７と、を設けてなる領域であり、液晶表示パネル２とコネクタ４とを接続する配線５を通すための貫通する穴部１３が形成されている。また、回路基板１の指針表示用エリア１２は、駆動源９を設けてなる領域である。
【００１３】
液晶表示パネル２は、例えば、ＴＦＴ型の液晶表示素子を適用でき、制御手段６からの制御信号に基づいて車両情報を表示することができる。液晶表示パネル２は、表示する車両情報が車両利用者から視認できるように設けられ、この場合、車両の走行距離や車外温度、警報メッセージなどを表示する。
【００１４】
バックライト３は、発光ダイオードなどの光源を適用でき、液晶表示パネル２に対向するように回路基板１面に実装され、液晶表示パネル２を透過照明することができる。また、この場合、液晶表示パネル２を均一に照明するために、バックライト３と液晶表示パネル１との間には、レンズや拡散板などの光学部材３１を用いている。なお、回路基板１におけるバックライト３の実装面には、指針表示部８を照明するために、バックライト３と同様の発光ダイオードが設けられる。
【００１５】
コネクタ４は、回路基板１においてバックライト３の実装面の裏面において、回路基板１を貫通する穴部１３の近傍に実装され、液晶表示パネル２と配線５を介して接続されるとともに、回路基板１のパターン配線を介して制御手段６と接続される。
【００１６】
配線５は、穴部１３を介して液晶表示パネル２とコネクタ４とを接続する可撓性の導電部材で、例えば、フレキシブルプリント配線板を適用できる。
【００１７】
制御手段６は、コネクタ４を介して液晶表示パネル２と接続されるとともに液晶表示パネル２や駆動源９を制御するための制御信号を出力するものである。この場合、制御手段６は、マイクロコンピュータと液晶表示パネル２の画像生成用のグラフィックコントローラとを備えて構成され、コネクタ４と同じ回路基板１面で、コネクタ４の近傍に設けられる。
【００１８】
シールドケース７は、制御手段６から発せられる電磁ノイズが他の電子部品に影響しないように、制御手段６を覆う金属部材で、回路基板１の接地面に半田で接続されている。この場合、シールドケース７は、制御手段６やコネクタ４を含む比較的薄いパッケージの電子部品を覆うようにしている。
【００１９】
指針表示部８は、駆動源９によって回動する指針８１と、指針８１の指示対象となる文字板８２の目盛りや文字、記号などの指標とを備えている。車両利用者は、指針表示部８の指針８１と前記指標とを対比することによって、例えば、車両速度などの車両情報（計測値）を判読できる。
【００２０】
駆動源９は、制御手段６からの制御信号に基づいて指針８１を所望の角度へ回動させるもので、ステッピングモータを適用できる。
【００２１】
上述した構成によって、液晶表示用エリア１１において、穴部１３を介することで制御手段６から液晶表示パネル２へ制御信号を伝送する配線を短くできるとともに、比較的大きなパッケージである駆動源９を設けてなる指針表示用エリア１２を避けて、シールドケース７の位置を定めることができる。従って、シールドケース７を必要以上に大きくすることがなくなるため、電磁ノイズの影響を低減し、かつ効率良く各部品を配置することが可能となるだけでなく、他の部品の実装位置においても自由度の高い回路基板の設計を行うことが可能となる。
【００２２】
また、液晶表示用エリア１２は、複数の指針表示用エリア１２の間に備えられてなり、この場合であっても、電磁ノイズの影響を低減し、かつ効率良く各部品を配置することが可能となるだけでなく、制御手段６から各駆動源９へのパターン配線も短く設計することができる。
【００２３】
なお、本発明の車両用計器を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２４】
本発明に係る車両用計器は、例えば、自動車やオートバイなどの移動体に搭載される車両情報を画像表示や指示表示する車両用計器に適用できる。
【符号の説明】
【００２５】
１    回路基板
１１  液晶表示用エリア
１２  指針表示用エリア
２    液晶表示パネル
３    バックライト
４    コネクタ
５    配線
６    制御手段
７    シールドケース
８    指針表示部
８１  指針
８２  文字板
９    駆動源
【図１】
2010210255.tif 000003